(57)【要約】【課題】ビブスなどの識別用簡易ユニフォームとして用いるのに適したリバーシブル衣服を提案すること。【解決手段】リバーシブル・ビブス１は、色の異なる表側染色糸および裏側染色糸を用いて編みたてた表裏で色の異なる布地片から仕立てられており、表側染色糸としてポリエステル１００％の光沢のあるブライト糸を用いてメッシュ状の衣服表面が形成されており、裏側染色糸としてポリエステル１００％の光沢のないスパン糸を用いてフラット状の衣服裏面が形成されている。表側染色糸の色が現れている衣服表面１１が外側になっている着用状態を裏返すと、裏側染色糸の色が現れている衣服裏面１２が外側に現れる。表裏で色、発色感、風合いなどが異なるので極めて識別性の高いリバーシブル・ビブスを実現できる。【選択図】図１
0003150830.tif 000002
【実用新案登録請求の範囲】
【請求項１】
色の異なる表側染色糸および裏側染色糸を用いて編みたてた表裏で色の異なる布地片から仕立てられており、
前記表側染色糸および前記裏側染色糸の一方は合成繊維からなるブライト糸であり、他方は合成繊維からなるスパン糸であり、
前記表側染色糸の色が現れている衣服表面が外側になっている着用状態を裏返すと、前記裏側染色糸の色が現れている衣服裏面が外側になった裏返し着用状態に切り替わることを特徴とするリバーシブル衣服。
【請求項２】
前記衣服表面および前記衣服裏面の一方は、当該面の側の染色糸をメッシュ状に編むことにより形成したメッシュ状布地面であり、
これらの他方は、当該面の側の染色糸をフラット状に編むことにより形成したフラット状布地面であることを特徴とする請求項１に記載のリバーシブル衣服。
【請求項３】
前記表側染色糸および前記裏側染色糸は共にポリエステル１００％の糸であることを特徴とする請求項１または２に記載のリバーシブル衣服。
【請求項４】
前記衣服表面および前記衣服裏面には、識別番号、識別模様などの識別情報が印刷されていることを特徴とする請求項１ないし３のうちのいずれかの項に記載のリバーシブル衣服。
【請求項５】
スポーツの試合などにおける対戦チームメンバーの識別、野外あるいは室内活動においてグループ分けしたメンバーを識別するために着用する識別用簡易ユニフォームであって、
請求項１ないし４のうちのいずれかの項に記載のリバーシブル衣服からなることを特徴とする識別用簡易ユニフォーム。
【請求項６】
サッカーの試合あるいは練習などにおいて着用するリバーシブル・ビブスであって、
請求項１ないし４のうちのいずれかの項に記載のリバーシブル衣服からなることを特徴とするリバーシブル・ビブス。
【考案の詳細な説明】
【技術分野】
【０００１】
本考案は裏返して着用可能なリバーシブル衣服に関し、特に、サッカーなどの試合、練習などにおいて競技者がいずれのチームに属しているのかなどを識別するために着用するビブスなどの識別用簡易ユニフォームに関する。
【背景技術】
【０００２】
サッカーなど練習試合などにおいては、味方チームと相手チームを識別するために一方のチームのメンバーにビブスを着用させるようにしている。敵と味方のメンバーの入れ替え時などにおいては、一方が着用しているビブスを交代するメンバーに渡して着用させるのが一般的である。このようなビブスの引き渡しをメンバー交代の都度行うことは面倒であり、ビブスを受け取ったメンバーはそれまで着用していたメンバーの汗や臭いの付いた状態で着用する必要がある。異なる種類のビブスを全員分用意しておけばよいが、これでは、各種類のビブスを同数用意しておく必要があるので、費用が嵩み、管理にも手間が掛かる。
【０００３】
ここで、特許文献１、２にはリバーシブル衣服が提案されている。リバーシブル衣服を裏返して着用することにより、一着で二着分の異なる衣服を着用した状態が得られる。
【先行技術文献】
【特許文献】
【０００４】
【特許文献１】特開２００６−２０００５３号公報
【特許文献２】特開２００６−８３５０１号公報
【考案の概要】
【考案が解決しようとする課題】
【０００５】
ビブスを裏返して使用できるようにし、一方のチームメンバーには表が外側の状態で着用させ、相手チームのメンバーには裏が外側にでる裏返し状態で着用させれば、用意しておくビブスが一種類で済むので、費用および管理の点から望ましい。しかしながら、ビブスなどの識別用簡易ユニフォームとして用いるのに適したリバーシブル衣服は市販されておらず入手できないのが現状である。
【０００６】
例えば、特許文献１に記載されているリバーシブル衣服は、基本的に、二枚の衣服片が縫合された二層構造となっており、これらが色、柄、素材、機能などの異なる生地から作ってある。また、特許文献２に記載されているリバーシブル衣服はニット衣服の一面にスカーフ生地をはぎ合わせた二層構造となっている。このような二層構造の衣服はスポーツ用に使用するには嵩高すぎてゴロツキ感があり、重量もあり、通気性の点からも適していない。
【０００７】
本考案の課題は、このような点に鑑みて、ビブスなどの識別用簡易ユニフォームとして用いるのに適したリバーシブル衣服を提案することにある。
【課題を解決するための手段】
【０００８】
上記の課題を解決するために、本考案のリバーシブル衣服は、
色の異なる表側染色糸および裏側染色糸を用いて編みたてた表裏で色の異なる布地片から仕立てられており、
前記表側染色糸および前記裏側染色糸の一方は合成繊維からなるブライト糸であり、これらの他方は合成繊維からなるスパン糸であり、
前記表側染色糸の色が現れている衣服表面が外側になっている着用状態を裏返すと、前記裏側染色糸の色が現れている衣服裏面が外側になった裏返し着用状態に切り替わることを特徴としている。
【０００９】
本考案のリバーシブル衣服は、表裏で色の異なる一枚ものの布地を使用しているので、軽量であり、着用者は違和感を覚えることなく運動することができる。また、表裏で色が異なるので十分な識別機能が備わっている。さらに、ブライド糸により光沢のある布地面を形成でき、スパン糸により光沢の無い布地面を形成できるので、表裏の色の相違のみでなく、布地面の発色感も表裏で差別化できる。
【００１０】
ここで、前記衣服表面および前記衣服裏面の一方を、当該面の側の染色糸をメッシュ状に編むことにより形成したメッシュ状布地面とし、これらの他方を、当該面の側の染色糸をフラット状に編むことにより形成したフラット状布地面とすることが望ましい。このようにすれば、表裏の面の風合い、表情を差別化できるので、表裏の識別性を高めることができる。また、メッシュ状布地面を形成することにより、衣服重量を低減でき、通気性も確保できる。
【００１１】
次に、前記表側染色糸および前記裏側染色糸を共にポリエステル１００％の糸とすることが望ましい。特に、スポーツ用の衣服の場合には、頻繁に洗濯が行われる点、発汗によるベトツキ感を抑制する必要がある点を考慮する必要があり、これらの点からは、速乾性のあるポリエステル１００％素材とすることが望ましい。
【００１２】
なお、前記衣服表面および前記衣服裏面には、識別番号、識別模様などの識別情報を印刷しておけばよい。
【００１３】
本考案のリバーシブル衣服は、スポーツの試合などにおける対戦チームメンバーの識別、野外あるいは室内活動においてグループ分けしたメンバーを識別するために着用する識別用簡易ユニフォームとして用いるのに適している。特に、サッカーの試合あるいは練習などにおいて着用するリバーシブル・ビブスとして用いるのに適している。
【考案の効果】
【００１４】
本考案のリバーシブル衣服は、一枚の布地から仕立てられており、軽量で通気性が良く、表裏の別が色、発色感の違いによって目視により明確に区別可能である。したがって、サッカー用のビブスなどの識別用簡易ユニフォームとして用いるのに適している。
【図面の簡単な説明】
【００１５】
【図１】（ａ）および（ｂ）は、本考案を適用したリバーシブル・ビブスを示す正面図および背面図であり、（ｃ）および（ｄ）は裏返した状態での正面図および背面図である。
【図２】襟、袖孔、裾の縁部分を示す説明図である。
【考案を実施するための形態】
【００１６】
以下に、図面を参照して本考案を適用したリバーシブル衣服の実施の形態を説明する。
【００１７】
図１（ａ）および（ｂ）は、本実施の形態に係る識別用簡易ユニフォームであるサッカー用のリバーシブル・ビブスを示す正面図および背面図であり、図１（ｃ）および（ｄ）は裏返した状態での正面図および背面図である。
【００１８】
リバーシブル・ビブス１は、前側および後側の二枚の布地片における両肩部分を相互に縫合すると共に、それらの両脇部分を相互に縫合することにより仕立てられており、前身頃部分２および後身頃部分３と、襟４と、左右の袖孔５、６と裾７を備えている。襟４、袖孔５、６および裾７の各縁は、図２に示すように、灰色の布片９が、縁を包み込む状態に縫い付けられている。
【００１９】
二枚の布地片は、色の異なる表側染色糸および裏側染色糸を用いて編みたてた表裏で色の異なる布地片である。この布地片としては、たとえば、商品名「Ｄｏｕｂｌｅ  Ｐ．Ｋ  Ｆａｂｒｉｃ」（製造元：ＮＡＮ  ＹＡ  ＰＬＡＳＴＩＣＳ  ＣＯＲＰ．（Ｋｕｎｃｈａｎ  Ｐｏｌｙｅｓｔｅｒ  Ｃａｍｐｕｓ））を用いることができる。本例では、たとえば、表側染色糸は灰色の染色糸であり、裏側染色糸は白色の染色糸である。また、表側染色糸にはポリエステル１００％の光沢のあるブライト糸が使用されており、裏側染色糸はポリエステル１００％の光沢のないスパン糸が使用されている。さらに、衣服表面および衣服裏面の一方、たとえば衣服表面１１の側は、染色糸をメッシュ状に編むことにより形成したメッシュ状布地面となっており、衣服裏面１２の側は、染色糸をフラット状に編むことにより形成したフラット状布地面となっている。
【００２０】
ここで、図１（ａ）に示すように、衣服表面１１において、その前身頃部分２にはゼッケン番号１３、例えば番号「１０」が例えば黒インクで印刷されており、この上側にはチーム名などの名称を表す文字列１４が同じく黒インクで印刷されている。また、図１（ｂ）に示すように、衣服表面１１において、その後身頃部分３には大きなサイズで同一のゼッケン番号１５が黒インクで印刷されている。
【００２１】
衣服裏面１２においても同様な印刷が施されている。すなわち、図１（ｃ）に示すように、その前身頃部分２にはゼッケン番号１６、たとえば番号「１０」が例えば黒インクで印刷されており、その上側にはチーム名などの名称を表す文字列１７が印刷されている。図１（ｄ）に示すように、衣服裏面１２の後身頃部分３には同一のゼッケン番号１８が黒インクで印刷されている。
【００２２】
なお、印刷情報は上記とは異なるものであってもよく、衣服表面１１と衣服裏面１２における印刷情報が異なるものであってもよい。また、印刷色も異なるものであってもよい。
【００２３】
本例のリバーシブル・ビブス１では、その衣服表面１１が外側になっている通常の着用状態では、光沢のあるメッシュ状の灰色素地に黒色のゼッケン番号などが印刷された状態になる。これを裏返して着用すると、光沢のないフラット状の白色素地に黒色のゼッケン番号などが印刷された状態になる。このように、裏返すことによって、生地の地色、発色感、風合いが切り替わるので、極めて識別性に優れたリバーシブル・ビブスを得ることができる。
【００２４】
したがって、サッカーのゲーム、練習などの際に、リバーシブル・ビブス１を表裏の色を変えて参加者全員が着用することにより、参加者がいずれのチーム、グループに属するのかを明確に識別できる。また、試合などにおいて、敵と味方のメンバーの交代などの際に、それぞれが着用しているリバーシブル・ビブス１を裏返してそのまま着用すればよいので、リバーシブル・ビブス１を相手に渡す必要がなく、相手が着用していたものを着用する必要もない。また、一種類のビブスを用意しておけばよく、二種類のビブスを同一数用意しておく必要がないので、費用および保管の点でも有利である。
【００２５】
（その他の実施の形態）
なお、上記の例は本考案をサッカー用のビブスに適用したものであるが、本考案はビブス以外の屋外、室内でのスポーツなどの活動における識別用簡易ユニフォームとして用いることができる。
【符号の説明】
【００２６】
１    リバーシブル・ビブス
２    前身頃部分
３    後身頃部分
４    襟
５，６  袖孔
７    裾
９    布片
１１  衣服表面
１２  衣服裏面
１３，１５，１６，１８  ゼッケン番号
１４，１７  文字列
【図２】
0003150830.tif 000003
【図１】
0003150830.tif 000004